(57)【要約】      （修正有）【課題】金属框と樹脂框とからなる断熱サッシにおいて、さらなる断熱性能の向上を図った断熱サッシを提供する。【解決手段】金属召合わせ框２１１と樹脂召合わせ框２１２を有する框と、室内側のパネルと室外側のパネルとを有する複層パネルと、を備える障子を有し、金属召合わせ框２１１と樹脂召合わせ框２１２は、樹脂召合わせ框２１２の係合部が金属召合わせ框２１１の係合部の内周側に位置した状態で複層ガラスを構成する室内側のパネルと室外側のパネルとの間で係合されている。【選択図】図５
2018135746.tif 000002
【特許請求の範囲】
【請求項１】
金属框と樹脂框を有する框と、室内側のパネルと室外側のパネルとを有する複層パネルと、を備える障子を有し、
金属框と樹脂框は、樹脂框の係合部が金属框の係合部の内周側に位置した状態で複層ガラスを構成する室内側のパネルと室外側のパネルとの間で係合されている断熱サッシ。
【発明の詳細な説明】
【技術分野】
【０００１】
金属框と樹脂框とからなる断熱サッシに関するものである。
【背景技術】
【０００２】
近年、金属框と樹脂框とからなる断熱サッシが周知となっているが、特に、断熱性を高めるために、樹脂框に中空部を形成して断熱層を形成してなる断熱サッシが知られている。（特許文献１）
【先行技術文献】
【特許文献】
【０００３】
【特許文献１】特許第３１４３７３６号
【発明の概要】
【発明が解決しようとする課題】
【０００４】
前記先行技術文献においては、内、外障子の框の金属部の室内側面に中空部を備える樹脂框を配置して、框の金属部の室内側面から室外内方向の熱の伝達を防止して、断熱性を高めている。
しかし、省エネルギーの点などから、サッシに求められる断熱性能は日々高まっており、金属框の室内側面に中空部を備える樹脂框を配置してなる断熱サッシに対しても、さらに断熱性能を高めることが求められている。
【０００５】
本発明は、上記の事情を鑑み、金属框と樹脂框とからなる断熱サッシにおいて、さらなる断熱性能の向上を図ることを目的とするものである。
【課題を解決するための手段】
【０００６】
本発明の一実施形態は、金属框と樹脂框を有する框と、室内側のパネルと室外側のパネルとを有する複層パネルと、を備える障子を有し、金属框と樹脂框は、樹脂框の係合部が金属框の係合部の内周側に位置した状態で複層ガラスを構成する室内側のパネルと室外側のパネルとの間で係合されている断熱サッシである。
【発明の効果】
【０００７】
障子の金属框から室内への熱の伝達を効率的に防止して、断熱性能を向上させることができる。
【図面の簡単な説明】
【０００８】
【図１】本発明の実施形態に係る上げ下げ窓の内観図である。
【図２】本発明の実施形態に係る上げ下げ窓の縦断面図である。
【図３】本発明の実施形態に係る上げ下げ窓の横断面図であり、左側は図２におけるｘ−ｘ部分の横断面図を、右側は同ｙ−ｙ部分における横断面図である。
【図４】本発明の実施形態に係る上げ下げ窓における左側の縦枠及び内障子の左縦框の横断面図である。
【図５】本発明の実施形態に係る上げ下げ窓における内障子の召合せ框及び外障子の召合せ框の縦断面図である。
【図６】本発明の実施形態に係る上げ下げ窓における内障子の戸先框及び下枠の縦断面図である。
【図７】本発明の実施形態に係る上げ下げ窓に用いる受け金具の図であり、（ａ）は平面図、（ｂ）は正面図、（ｃ）は側面図である。
【図８】本発明の実施形態に係る上げ下げ窓における外障子の取付けを説明するための横断面図である。
【発明を実施するための形態】
【０００９】
本発明の実施形態の上げ下げ窓について、図面を参考にして説明する。
（全体の構成）
図１に示すように、本発明の実施形態の上げ下げ窓は、上枠１１、下枠１２及び左、右縦枠１３，１４により形成された窓枠１に対して、その上方位置に召合せ框３１（図示なし）、戸先框３２、及び左、右縦框３３，３４を四周に組んでその内周にガラス等のパネルが嵌め込まれて構成される外障子３を取付け、下方位置に召合せ框２１、戸先框２２、及び左、右縦框２３，２４を四周に組んでその内周にガラス等のパネルが嵌め込まれて構成される内障子２を開閉自在に設けて構成されている。
【００１０】
（窓枠の構成）
図２に示すように、上枠１１は、アルミニウム等の金属材料からなる金属上枠１１１と金属上枠１１１の室内側内周面に配置される樹脂上枠１１２とからなる。
金属上枠１１１は、室外側端より室外壁１１１ａが垂下されるとともに室外側内周面から当接部１１１ｂが垂下され、両者によって外障子３の戸先框３２を支持する支持溝１１１ｃが形成されている。
金属上枠１１１の室内側内周面に嵌合固定される樹脂上枠１１２は、見込み方向、すなわち下方に向かって複数の中空部が積層される中空積層構造をなしており、その室内側端部に室内方向に延設されたアングル部が建物開口部に対してネジ等の固定手段により固定される。
【００１１】
一方、下枠１２は、アルミニウム等の金属材料からなる金属下枠１２１と、金属下枠１２１の室内側端部に係合固定される樹脂材料からなる樹脂下枠１２２とからなる。
金属下枠１２１の見込み方向略中央内周面より、内障子２の戸先框２２の外周面と当接する緩衝材を保持するための保持片１２１ａが上方に向かって設けられている。
樹脂下枠１２２は、下枠１２の室内側に面する部位を構成しており、室内方向に延設されたアングル部１２２ａが建物開口部に対してネジ等の固定手段により固定される。
【００１２】
図３に示すように、左、右縦枠１３，１４は、略同一の構成を備えている。
図３に示す左縦枠１３は、図２におけるｘ−ｘ断面、すなわち窓枠１の内障子２に対向する部分の左縦枠１３の横断面図を示し、図３に示す右縦枠１４は、図２におけるｙ−ｙ断面、すなわち窓枠１の外障子３に対向する部分の右縦枠１４の横断面図を示している。
【００１３】
左、右縦枠１３，１４は、その室外側に内周に向けて突出する室外中空部を有する左、右金属縦枠１３１，１４１と、左、右金属縦枠１３１，１４１の中空部の室内側内周面に嵌合固定される左右の樹脂縦枠とからなる。
左、右の樹脂縦枠は、複数の中空部により形成され左、右金属縦枠１３１，１４１の内周面略中央部位に嵌合固定される左、右主樹脂縦枠１３２、１４２と、複数の中空部を有し、左、右金属縦枠１３１，１４１の室内側端に係合される左、右副樹脂縦枠１３３，１４３とにより構成されている。
【００１４】
左、右主樹脂縦枠１３２，１４２の室内側内周には、内周方向に開口する溝部１３２ｃ，１４２ｃを有しており、溝部１３２ｃ，１４２ｃの底部においてビス等の固定手段によって左、右金属縦枠１３１，１４１の内周面に固定されている。
【００１５】
溝部１３２ｃ，１４２ｃには、内障子２の下方両側から突出する回転軸８１（図２）が上下方向に案内されており、また、図３の左縦枠１３に示されるように、左主樹脂縦枠１３２と左副樹脂縦枠１３３とにより、ガイド部１３２ｄが形成され、ガイド部１３２ｄにはスライダ８２，８２が上下方向に移動自在にガイドされ、スライダ８２，８２と内障子２の外周面がリンク８３、８３により連結されている。
【００１６】
したがって、内障子２は、回転軸８１，８１及びスライダ８２，８２を、左、右縦枠１３，１４内周の溝部１３２ｃ，１４２ｃ及びガイド部１３２ｄ，１４２ｄに沿って上下スライドさせることにより、窓枠１の下方位置の開口部を開閉することができると共に、回転軸８１，８１を中心にスライダ８２，８２との間のリンク８３，８３により、室内側に内倒して開閉することができる。
なお、内障子２の上下方向への開閉機構及び内倒し開閉機構については、特に限定されるものではない。
【００１７】
そして、図４に示すように、左（右）金属縦枠１３１（１４１）の室外中空部の室外壁部は内周方向に延設されて室外壁１３１ａを形成しており、その室内側面には突条片１３１ｂが突設され、後述する目板６の室外係合部６２ａが係合する室外係合凹部１３１ｃが形成されているとともに、左（右）主樹脂縦枠１３２（１４２）の室外側端部内周面には、目板６の中間係合部６２ｂが係合する中間係合突起１３２ａが形成され、見込み方向中央付近の内周面には、目板６の室内係合部６１ａが係合する室内方向に開口する室内係合凹部１３２ｂが形成されている。
【００１８】
（内障子の構成）
内障子２の召合せ框２１は、図５に示すように、金属召合せ框２１１と、金属召合せ框２１１の室内側面及び外周面を覆う樹脂召合せ框２１２とから構成されている。
金属召合せ框２１１は、パネルの室外側外周に配置される中空部２１１ａと、中空部２１１ａの室外側端から内周方向に延設されガラス間口を構成するガラス間口部２１１ｂと、中空部２１１ａの内周室外側より室外側に延設し、その後下方に屈曲する屈曲片２１１ｃとから構成されている。
【００１９】
樹脂召合せ框２１２は、金属召合せ框２１１の中空部２１１ａ室内側面よりも見付け幅寸法（上下寸法）が大きく、中空部を隔壁により見込み方向に三層に分割してなる中空部積層構造をなす室内側中空部２１２ａと、室内側中空部２１２ａの室内端で内周方向に延設してガラス間口を構成するガラス間口中空部２１２ｂと、室内側中空部２１２ａの室外側の外周部から室外方向に延設され金属召合せ框２１１の外周面を覆う見付け方向（上下方向）に肉厚の肉厚外周部２１２ｃとから構成されており、内障子２のガラス間口の見込み方向略中央位置において金属召合せ框２１１の室内側面と室内側中空部２１２ａの室外側面が連結されている。
【００２０】
肉厚外周部２１２ｃの内周面には、金属召合せ框２１１の外周面に向かって隔壁が垂下されており、肉厚外周部２１２ｃと金属召合せ框２１１とによって金属召合せ框２１１の外周に中空部が形成されている。
樹脂召合せ框２１２の肉厚外周部２１２ｃの室外側端面には、気密材ｓが配置され、後述する外障子３の召合せ框３１の室内側面に当接している。
【００２１】
このように、金属召合せ框２１１の中空部の室内側面全域を、室内側面よりも見付け幅寸法が大きい中空部を見込み方向に複数積層して形成された室内側中空部２１２ａにより覆うことにより、金属召合せ框２１１の室内側面からの熱を伝える空気の対流は、見込み方向に分断されることとなり、空気の対流による熱の伝達を抑制し、また、金属召合せ框２１１の外周面の全域を、室内側中空部の外周部を室外側に延設して形成された肉厚隔壁が垂下する肉厚外周部２１２ｃで覆って金属召合せ框の外周面と協働して中空部を形成することで、金属召合せ框２１１の室内に対向する面からの熱の伝達をより防止することができ、召合せ框２１における断熱性をさらに向上させることができる。
【００２２】
内障子２の戸先（下）框２２は、図６に示すように、金属戸先框２２１と、金属戸先框２２１の室内側面を覆う樹脂戸先框２２２とから構成されている。
金属戸先框２２１は、ガラス等パネルの室外側外周に配置される中空部２２１ａと、中空部２２１ａの室外側端から内周方向に延設されガラス間口を構成するガラス間口部２２１ｂと、中空部２２１ａの外周に設けられる溝状の回転軸取付溝２２１ｃとから構成されている。
【００２３】
樹脂戸先框２２２は、金属戸先框２２１の中空部２２１ａ及び回転軸取付溝２２１ｃの室内側面全体を覆う第１中空部２２２ａ、第１中空部２２２ａの室内側に隣接して、少なくとも第１中空部２２２ａの室内側上方部位を覆う第２中空部２２２ｂ、及び、第２中空部２２２ｂの室内側に隣接して、少なくとも第２中空部２２２ｂの室内側上方部位を覆う第３中空部２２２ｃとを備える中空部積層構造の室内側中空部と、室内側中空部の第３中空部２２２ｃの室内端で内周方向に延設してガラス間口を構成するガラス間口中空部２２２ｄとから構成されている。
すなわち、金属戸先框２２１の室内側に配置される複数の中空部の見付け寸法は、室内側に配置されるにしたがって小さく形成されており、第２中空部２２２ｂ及び第３中空部２２２ｃの下面は、第１中空部２２２ａの室内側面から伸びる連続的な傾斜面に形成されている。
そして、内障子２のガラス間口の見込み方向略中央位置において金属戸先框２２１の室内側面と第１中空部２２２ａの室外側面が連結されている。
このように、金属戸先框２２１の室内側面を覆う樹脂戸先框２２２の室内側中空部を中空部積層構造とすることにより、金属戸先框２２１の室内側面からの熱を伝える空気の対流は、見込み方向に分断されることとなり、空気の対流による熱の伝達を抑制して、戸先框２２における断熱性を向上させることができる。
また、金属戸先框２２１に隣接する第１中空部２２２ａを金属戸先框２２１の室内側面全域を覆う大きさとすることにより、金属戸先框２２１の室内側面から直接伝わる熱に対して、広い範囲で空気層による断熱を行うことができ、断熱性能をさらに高めることができる。
なお、樹脂戸先框２２２の第１中空部２２２ａから第３中空部２２２ｃを分割する隔壁の見込み方向位置は、樹脂召合せ框２１２の室内側中空部２１２ａにおける複数の中空部を分割する隔壁の見込み方向位置と略一致している。
【００２４】
内障子２の閉鎖状態において、内障子２の樹脂戸先框２２２の第１中空部２２２ａは、その室内側面が下枠１２の樹脂下枠１２２の室外側面に対向し、第２中空部２２２ｂ及び第３中空部２２２ｃは樹脂下枠１２２のアングル部１２２ａ上面に対向するように配置されているので、内障子２の閉鎖時に戸先框２２が納まる下枠１２の上面開口は、金属戸先框２２１と樹脂戸先框２２２の第１中空部２２２ａが納まる程度の幅を有していれば足り、下枠１２の見込み方向の寸法を大きくすることなく、金属戸先框２２１の室内に露出する面からの熱の伝達を複数の中空部により効率的に防ぐことができる。
【００２５】
また、樹脂下枠１２２のアングル部１２２ａ上面と、アングル部１２２ａの上面に対向する第２中空部２２２ｂ及び第３中空部２２２ｃの連続的な傾斜面とにより、室内に向かって開口が大きくなる溝部Ｍを形成し、溝部Ｍの室内側端の上下寸法Ｌを１０ｍｍ以下に設定するとともに、溝部Ｍの奥行き寸法Ｄを上下寸法Ｌよりも大きく設定されている。
それにより、溝部Ｍ内での空気の対流を抑制することができ、溝部Ｍが半密閉状態の空気層を形成することになるので、断熱性能をより向上させることができる。
【００２６】
樹脂下枠１２２のアングル部１２２ａの上面の左副樹脂縦枠１３３よりも室内側には、左右方向に延びる起立突起１２２ｂが形成されており、溝部Ｍの開口の上下寸法Ｌを更に小さく構成して、溝部Ｍ内での空気の対流をさらに抑制している。
そして、左副樹脂縦枠１３３の室内側に起立突起１２２ｂが存在するので、左副樹脂縦枠１３３の下端と樹脂下枠１２２の上面との間に隙間が生じた場合であっても、隙間が室内から隠蔽することができる。
【００２７】
以上のように、内障子２の戸先框２２は、金属戸先框２２１の中空部２２１ａの室内側面全域を覆う第１中空部２２２ａの室内側に、第１中空部２２２ａよりも見付け寸法（上下寸法）小さい第２中空部２２２ｂ及び第３中空部２２２ｃを積層して、第２中空部２２２ｂ及び第３中空部２２２ｃの下面を室内に行くに従って高くなる傾斜状に形成している、すなわち、金属戸先框２２１の中空部２２１ａの室内側面全域を覆う見込み方向に複数の中空部を積層させてなる室内側中空部を形成し、複数の中空部の見付け寸法が、室内側に配置されるにしたがって小さくなるので、内障子２を閉鎖することによって、内障子２の戸先框２２と下枠１２との間に半密閉状態の空気層となる溝部Ｍが形成されるので、戸先框２２に加工を施すことなく、断熱性能を向上させることができる。
【００２８】
また、戸先框２２の室内側下面を傾斜状に形成しているので、室内側に発生した結露水等を傾斜状の下面に沿って下枠１２に誘導するので、室内側の額縁等が濡れることを防ぐことができる。
なお、第２中空部２２２ｂ及び第３中空部２２２ｃの下面は、直線的に傾斜させるものに限らず、円弧状に傾斜させてもよい。
【００２９】
内障子２の左、右縦框２３，２４は、略同一の構成を備えているので、内障子２の左、右縦框２３，２４について、左縦框２３を用いて説明する。
左縦框２３は、図４に示すように、左金属縦框２３１と左金属縦框２３１の室内側に配置される左樹脂縦框２３２とからなる。
左金属縦框２３１は、パネルの室外側外周に配置される中空部２３１ａと、中空部２３１ａの室外側内周に延設されガラス間口を構成するガラス間口部２３１ｂとから構成され、中空部２３１ａの外周面には、左縦枠１３のガイド部１３２ｄをスライドするスライダ８２に連結されたリンク８３が回転自在に連結されており（図３）、また、中空部２３１ａの室外側面には、モヘア等の気密材ｍ１が長さ方向に沿って略全長に亘って配置されている。
【００３０】
左樹脂縦框２３２は、ガラス間口の見込み方向略中央位置において左金属縦框２３１の室内側面に連結され左金属縦框２３１の室内側面全体を覆う第１中空部２３２ａと、第１中空部２３２ａよりも見付け方向寸法が大きく外周方向に突出した状態で第１中空部２３２ａに隣接している第２中空部２３２ｂと、第２中空部２３２ｂよりもさらに見付け方向寸法が大きく外周方向に突出した状態で第２中空部２３２ｂに隣接している第３中空部２３２ｃとを備える中空積層構造の室内側中空部と、第３中空部２３２ｃの室内端から内周方向に延設され、内周端を折り返してガラス間口を構成するガラス間口部２３２ｄとから構成されており、内障子２のガラス間口の見込み方向略中央位置において左金属縦框２３１の室内側面と第１中空部２３２ａの室外側面が連結されている。
このように、左（右）金属縦框２３１の室内側面を覆う左（右）樹脂縦框２３２の室内側中空部を中空部積層構造とすることにより、左金属縦框２３１の室内側面からの熱を伝える空気の対流は、見込み方向に分断されることとなり、空気の対流による熱の伝達を抑制して、左（右）縦框２３における断熱性を向上させることができる。
なお、左（右）樹脂縦框２３２の第１中空部２３２ａから第３中空部２３２ｃを分割する隔壁の見込み方向位置を、樹脂召合せ框２１２の室内側中空部２１２ａを分割する隔壁の見込み方向位置、及び、樹脂戸先框２２２の第１中空部２２２ａから第３中空部２２２ｃを分割する隔壁の見込み方向位置と略一致させることにより、内障子２の框全体で熱を伝達する対流の分断位置を略一致させることができる。
すなわち、障子を構成する縦及び横樹脂框は、それぞれ金属框の中空部の室内側面を覆う、隔壁により分割される見込み方向に複数の中空部を積層させてなる室内側中空部を有し、縦及び横樹脂框の室内側中空部を複数の中空部に分割する隔壁の見込み方向の位置を略同一としているので、内障子２の框全体で熱を伝達する対流の分断位置を略一致させることができ、さらに、断熱性を向上させることができる。
【００３１】
第２中空部２３２ｂの外周面は、左縦枠１３の左副樹脂縦枠１３３の内周面に近接しており、左副樹脂縦枠１３３の内周面に当接してその間を気密するモヘア等の気密材ｍ２が配置されている。
また、第３中空部２３２ｃの外周端は、左縦枠１３の左副樹脂縦枠１３３の室内側において、左副樹脂縦枠１３３の内周端よりもさらに外周方向に延設されており、左副樹脂縦枠１３３と室内外方向に重複して、左縦枠１３と左縦框２３との間の室内側に樹脂からなる中空部を配置することにより、断熱性能を向上させるとともに、室内から窓枠と障子との間が直接見えないようにして意匠性を向上させている。
そして、図４に示す、左縦枠１３の左副樹脂縦枠１３３の室内側面と第３中空部２３２ｃの室外側面との見込み方向の間隔ｄを２ｍｍ以下とすることにより、密閉空間層を形成することができる。
また、見込み方向に積層する、第１中空部２２２ａ、第２中空部２２２ｂ、第３中空部２２２ｃの見付け寸法が、室内側に配置されるにしたがって大きく形成されているので、すべり出し窓のような縦枠と縦框との間にリンク機構等を収納する必要がある窓において、第１中空部２２２ａの外周に比較的広い空間を確保しながら、空間から室内への熱の伝達を防止することができる。
このように、縦框を構成する樹脂縦框は、金属框の中空部の室内側面全域を覆う、見込み方向に複数の中空部を積層させてなる室内側中空部を有し、複数の中空部の見付け寸法が、室内側に配置されるにしたがって大きく形成されているので、比較的広い空間が必要となる縦枠と縦框の間の空間において、空間の広さを確保しながら空間から室内への熱の伝達を防止することができる。
【００３２】
（外障子の構成）
図２に示すように、外障子３の召合せ框３１は、金属召合せ框３１１と金属召合せ框３１１の室内側に配置される樹脂召合せ框３１２とからなる。
金属召合せ框３１１は、パネルの外周面を覆う中空形状をなす中空部３１１ａと、中空部３１１ａの室外側端から内周方向に延設されガラス間口を構成するガラス間口部３１１ｂと、中空部３１１ａの室内側下端より室内方向に延設されて内障子２の召合せ框２１の室外側面に当接して気密する気密材ｓを保持する気密材保持片３１１ｃとから構成されている。
【００３３】
樹脂召合せ框３１２は、金属召合せ框３１１の室内側面を覆う室内側部３１２ａと、室内側部３１２ａの内周に延設してガラス間口を構成するガラス間口中空部３１２ｂとから構成されており、その室内側面には、内障子２の召合せ框２１に設けた気密材ｓが当接している。
【００３４】
外障子３の戸先（上）框３２は、図２に示すように、金属戸先框３２１と金属戸先框３２１の室内側に配置される樹脂戸先框３２２とからなる。
金属戸先框３２１は、ガラス等パネルの室外側外周面に配置される中空部３２１ａと、中空部３２１ａの室外側内周に延設されガラス間口を構成するガラス間口部３２１ｂと、中空部３２１ａの室内側の外周面に形成された当接片３２１ｃとから構成されている。
【００３５】
中空部３２１ａの室外側面には上枠１１の金属上枠１１１の室外壁１１１ａの室内面に当接する気密材ｓが配置されている。
そして、外障子３の戸先框３２の金属戸先框３２１が上枠１１の支持溝１１１ｃに挿入されることによって、外障子３の室内外方向の移動を規制し、中空部３２１ａの当接片３２１ｃが支持溝１１１ｃの内面に当接して戸先框３２を室外側に押圧することによって、戸先框３２の気密材ｓが金属上枠１１１の室外壁１１１ａの室内面に当接して、ＦＩＸ窓としての外障子３の上枠１１に対する気密を行っている。
樹脂戸先框３２２は、金属戸先框３２１の室内側面に係合され、見付け方向に複数の中空部を有する室内側部３２２ａと、室内側部３２２ａの室内端で内周方向に延設してガラス間口を構成するガラス間口部３２２ｂとから構成されている。
【００３６】
外障子３の左、右縦框３３，３４は、略同一の構成を備えているので、外障子３の左、右縦框３３，３４について、図３に示される、右縦框３４を用いて説明する。
右縦框３４は、右金属縦框３４１と右金属縦框３４１の室内側に配置される右樹脂縦框３４２とからなる。
右金属縦框３４１は、ガラス等パネルの室外側外周に配置される中空部３４１ａと、中空部３４１ａの室外側内周に延設されガラス間口を構成するガラス間口部３４１ｂとから構成され、中空部３４１ａの室外側面には、気密材ｓが長さ方向に沿って略全長に亘って配置され、右縦枠１４の右金属縦枠１４１の室外壁１４１ａの室内側面に当接してＦＩＸ窓である外障子３の右縦枠１４に対する気密を行っている。
右樹脂縦框３４２は、右金属縦框３４１の室内側面に連結され、右金属縦框３４１の室内側面全体を覆う中空部３４２ａと、中空部３４２ａの室内内周側に延設されガラス間口を構成するガラス間口部３４２ｂとから構成されている。
中空部３４２ａの外周には、右縦枠１４の右主樹脂縦枠１４２に当接する気密材ｓが配置され、外障子３の右縦枠１４に対する気密を行っている。
【００３７】
（外障子の装着）
本発明の実施形態の上げ下げ窓の外障子３の窓枠１への装着について、説明する。
通常、上げ下げ窓においては、内障子２の閉鎖状態において、内障子２の左、右縦框２３，２４と窓枠１の左、右縦枠１３，１４との間を気密するために、左、右縦枠１３，１４の内周面の室内外方向中央付近に中仕切片が設けられており、内障子２の左、右縦框２３，２４に設けられた気密材を中仕切片に当接することにより内障子２と窓枠１との気密を行っていた。
【００３８】
これに対して、本実施形態の上げ下げ窓においては、右縦枠１４には、その内周に突出する中仕切片が設けられていない。その他、左、右縦枠１３，１４の内周面には、内周に突出する部材が存在しておらす、左、右縦枠１３，１４の内周面は室外壁１３１ａ，１４１ａに至るまで、外障子３の見付け幅寸法よりも広い間隔を有している。そのため、外障子３は窓枠１の上方の領域に対して室内側から嵌め込むことにより、図３に示すように、左、右縦框３３，３４の室外側面に配置した気密材ｓを、窓枠１の左、右縦枠１３，１４の室外壁１３１ａ，１４１ａの室内面に当接させることができる。そして、後述する受け金具７に載置させて固定することにより、窓枠１の室外側にＦＩＸ窓として設置することができる。
【００３９】
以上のように、左、右縦枠１３，１４の内周面に中仕切片が存在しないので、外障子３の装着は、簡単に行うことができるが、内障子２の左、右縦枠１３，１４に対する気密については、中仕切片を利用した気密が不可能となった。
そこで、本実施形態においては、窓枠１の左、右縦枠１３，１４の室外側の内周面で外障子３の下方領域に、目板６，６を係合固定することにより、内障子２の室外側面に設けたモヘア等の気密材ｍ１を目板６の室内側面に当接して、内障子２と窓枠１との間を気密するように構成している。
以下、左、右縦枠１３，１４の内周面に固定される目板６について、図４を参考に説明する。
【００４０】
（目板の構造）
目板６，６は、アルミニウム等の金属材料で形成され、左、右縦枠１３，１４の内周面の見込み方向略中央に配置される室内側中空部６１と、室内側中空部６１の室外側に延設される取付片部６２とからなり、室内側中空部６１の外周面には室内係合部６１ａが形成されており、取付片部６２の室外側端部、及び、中間外周面には、室外係合部６２ａ、及び、中間係合部６２ｂが形成され、室外側の内周面には、リブ片６２ｃが形成されている。
【００４１】
そして、左、右縦枠１３，１４の左、右金属縦枠１３１，１４１の室外壁１３１ａ，１４１ａの室内側面に形成された室外係合凹部１３１ｃ（１４１ｃ）及び左、右主樹脂縦枠１３２，１４２に形成された室内係合凹部１３２ｂ（１４２ｂ）に対して、目板６の室外係合部６２ａ及び室内係合部６１ａを同時に差し込むことにより、目板６の中間係合部６２ｂが弾性変形して左、右主樹脂縦枠１３２，１４２に形成された中間係合突起１３２ａを乗り越えて係合し、取付片部６２のリブ片６２ｃが突条片１３１ｂの先端部に当接することで、左右縦枠１３，１４に対して、目板６，６を位置決め固定することができる。
そして、左、右主樹脂縦枠１３２，１４２の内障子２の室外側に露出する内周面を、薄肉のアルミニウム材からなる目板６，６により覆うことができるので、左、右縦枠１３，１４の左、右主樹脂縦枠１３２，１４２の内周表面を日光の紫外線等から保護することができ、変色や劣化を防止することができる。
【００４２】
（外障子の固定）
図２に示すように、外障子３の左右下端部は、窓枠１の左、右縦枠１３，１４の室外側内周面に固定された受け金具７によって、窓枠１に固定されている。
受け金具７は、図７に示すように、左、右縦枠１３，１４の内周面に固定される垂直部７１と、外障子３の左右下端部に固定される水平部７２と、垂直部７１と水平部７２とを連結する段差部７３とから構成されている。
【００４３】
そして、図８の左縦枠１３に示されるように、受け金具７は、左、右縦枠１３，１４の下方領域に配置された目板６の取付片部６２の上面に段差部７３を載置した状態で、垂直部７１が左、右縦枠１３，１４の内周面にネジ等の固定手段により固定されている。
左、右縦枠１３，１４に固定された受け金具７，７の水平部７２，７２に、戸先框３２を上枠１１の下方に開放した支持溝１１１ｃに挿入した外障子３の両側下端部が載置されて下方よりネジ等の固定手段により固定することで、外障子３が窓枠１の室外側上方領域にＦＩＸ窓として固定されている。
また、外障子３を固定するための受け金具７を目板６の取付片部６２に載置して左、右縦枠１３，１４に固定しているので、目板６の上下方向への位置ずれが防止される。
【００４４】
以上説明したように、本実施形態の断熱サッシにおいて、内障子２の各框は、金属框と、見込み方向に複数の中空部を備える中空部積層構造の室内側中空部を有する樹脂框により構成されており、樹脂框の複数の中空部の何れか一つの中空部は、金属框の室内側面の見込み寸法以上であって金属框の室内側面全域を覆うので、金属框の室内面全域に対して空気層からなる断熱層を形成することができ、また、中空部が積層されているので伝達される熱による空気の対流を分断することができ、断熱性を向上させることができる。
さらに、金属框に隣接する中空部を、金属框の室内側面の見込み寸法以上であって金属框の室内側面全域を覆う中空部とすることにより、金属框の室内側面から直接伝わる熱に対して広い範囲で空気層による断熱を行うことで、効率的に断熱をすることができる。
【００４５】
また、ガラス間口の室内側を樹脂框により構成するに際して、樹脂召合せ框２１及び樹脂戸先框２２において室内側中空部とは独立した中空部であるガラス間口中空部２１２ｂ、２２２ｄを形成してガラス間口の室内側壁としたことにより、ガラス間口部からの熱の伝達を防止して、断熱性能をさらに向上されている。
そして、左樹脂縦框２３２、右樹脂縦框２４２に形成されるガラス間口の室内壁には、中空部を設けずに室内壁の内周端を折り返してガラス間口を形成している。
すなわち、障子を構成する縦及び横樹脂框は、それぞれ金属框の中空部の室内側面を覆う、見込み方向に複数の中空部を積層させてなる室内側中空部を有し、横樹脂框の室内側中空部の室内端内周面より、内周方向に延出される室内側中空部とは独立したガラス間口中空部を有すると共に、縦樹脂框の室内側中空部の室内端内周面より、内周方向に延設され、先端に折返しを有するガラス間口部を有しているので、左，右縦框２３，２４に対して、召合せ框２１及び戸先框２２をホゾ組する際に、ガラス間口の室内壁の折返し部を切除することにより、ホゾ組することができ、召合せ框２１及び戸先框２２における断熱性能を落とすことなく、施工性がよい。
【００４６】
また、内障子の各金属框と樹脂框との連結部を、ガラス間口の見込み方向略中央位置に配置したことにより、すなわち、樹脂框は、金属框の中空部の室内側面全域を覆う、見込み方向に複数の中空部を積層させてなる室内側中空部を有し、金属框と樹脂框との見込み方向接合位置を、ガラス間口の略中央位置としているので、各框の断熱ラインを複層ガラスの断熱ラインである空気層の中央位置と略一致させることができ、断熱性を向上させることができる。
【００４７】
なお、本実施形態においては、内障子の樹脂框を構成する中空部は、見込み方向のみに積層されており、見付け方向に複数の中空部が配置されるものではないが、本発明のサッシの内障子の樹脂框は、少なくとも何れか一つの中空部が金属框の室内側面の見付け寸法以上であって金属框の室内側面全域を覆う中空部であればよく、その他積層される中空部についてはその見付け寸法については何ら限定されるものではなく、また、見付け方向に複数積層されるものであってもよい。
さらに、本実施形態においては、外障子はＦＩＸ窓として構成したが、外障子を上下移動等により開閉自在な障子として構成してもよい。
【符号の説明】
【００４８】
１        ：窓枠
１１      ：上枠
１１１    ：金属上枠
１１１ａ  ：室外壁
１１１ｂ  ：当接部
１１１ｃ  ：支持溝
１１２    ：樹脂上枠
１２      ：下枠
１３      ：左縦枠
１３１    ：左金属縦枠
１３１ａ  ：室外壁
１３１ｂ  ：突条片
１３１ｃ  ：室外係合凹部
１３２    ：左主樹脂縦枠
１３２ａ  ：中間係合突起
１３２ｂ  ：室内係合凹部
１３２ｃ  ：溝部
１３２ｄ  ：ガイド部
１３３    ：左副樹脂縦枠
１４      ：右縦枠
１４１    ：右金属縦枠
１４１ａ  ：室外壁
１４２    ：右主樹脂縦枠
１４２ｃ  ：溝部
１４２ｄ  ：ガイド部
１４３    ：右副樹脂縦枠
２        ：内障子
２１      ：召合せ框
２１１    ：金属召合せ框
２１１ａ  ：中空部
２１１ｂ  ：ガラス間口部
２１１ｃ  ：屈曲片
２１２    ：樹脂召合せ框
２１２ａ  ：室内側中空部
２１２ｂ  ：ガラス間口中空部
２１２ｃ  ：肉厚外周部
２２      ：戸先框
２２１    ：金属戸先框
２２１ａ  ：中空部
２２１ｂ  ：ガラス間口部
２２１ｃ  ：回転軸取付溝
２２２    ：樹脂戸先框
２２２ａ  ：第１中空部
２２２ｂ  ：第２中空部
２２２ｃ  ：第３中空部
２２２ｄ  ：ガラス間口中空部
２３      ：左縦框
２３１    ：左金属縦框
２３１ａ  ：中空部
２３１ｂ  ：ガラス間口部
２３２    ：左樹脂縦框
２３２ａ  ：第１中空部
２３２ｂ  ：第２中空部
２３２ｃ  ：第３中空部
２３２ｄ  ：ガラス間口部
２４      ：右縦框
２４２    ：右樹脂縦框
３        ：外障子
３１      ：召合せ框
３１１    ：金属召合せ框
３１１ａ  ：中空部
３１１ｂ  ：ガラス間口部
３１１ｃ  ：気密材保持片
３１２    ：樹脂召合せ框
３１２ａ  ：室内側部
３１２ｂ  ：ガラス間口中空部
３２      ：戸先框
３２１    ：金属戸先框
３２１ａ  ：中空部
３２１ｂ  ：ガラス間口部
３２１ｃ  ：当接片
３２２    ：樹脂戸先框
３２２ａ  ：室内側部
３２２ｂ  ：ガラス間口部
３３      ：右縦框
３４      ：右縦框
３４１    ：右金属縦框
３４１ａ  ：中空部
３４１ｂ  ：ガラス間口部
３４２    ：右樹脂縦框
３４２ａ  ：中空部
３４２ｂ  ：ガラス間口部
６        ：目板
７        ：受け金具
６１      ：室内側中空部
６１ａ    ：室内係合部
６２      ：取付片部
６２ａ    ：室外係合部
６２ｂ    ：中間係合部
６２ｃ    ：リブ片
７１      ：垂直部
７２      ：水平部
７３      ：段差部
８１      ：回転軸
８２      ：スライダ
８３      ：リンク
Ｄ        ：奥行き寸法
Ｌ        ：上下寸法
Ｍ        ：溝部
ｍ１      ：気密材
ｍ２      ：気密材
ｓ        ：気密材
【図１】
2018135746.tif 000003
【図２】
2018135746.tif 000004
【図３】
2018135746.tif 000005
【図４】
2018135746.tif 000006
【図５】
2018135746.tif 000007
【図６】
2018135746.tif 000008
【図７】
2018135746.tif 000009
【図８】
2018135746.tif 000010